(57)【要約】【課題】簡便な構造であるとともにフィルタの交換を容易に行うことができる空気清浄機を提供する。【解決手段】空気清浄機１は、有害物質を吸着する３つのフィルタ２と、フィルタ２を通過する空気の流れを形成する送風機３と、３つのフィルタ２が収容されるフィルタケース４と、上記フィルタ２、送風機３およびフィルタケース４を収容する筐体５と、を備えている。【選択図】図２
2012161487.tif 000002
【特許請求の範囲】
【請求項１】
室内の空気中に存在する人体に有害な物質を吸着する吸着剤を備えるフィルタと、
該フィルタを通過する空気の流れを形成する送風機と、
前記フィルタを出し入れ可能なフィルタケースと、を有することを特徴とする空気清浄機。
【請求項２】
前記フィルタは、不織布で形成された袋体と、該袋体に収容された多数のペレット状の吸着剤と、を備えることを特徴とする請求項１に記載の空気清浄機。
【請求項３】
前記フィルタケースは、前記フィルタを複数収容可能に構成されていることを特徴とする請求項２に記載の空気清浄機。
【請求項４】
前記送風機の駆動量を測定し、該駆動量から前記フィルタの交換時期を知らせるフィルタ交換時期通知機構が設けられていることを特徴とする請求項１乃至３のいずれか１項に記載の空気清浄機。
【発明の詳細な説明】
【技術分野】
【０００１】
本発明は、室内の空気中に存在する人体に有害な物質を吸着して空気を浄化させる空気清浄機に関する。
【背景技術】
【０００２】
従来より、室内の空気中に存在する人体に有害な毒性物質や異臭物質等を吸着除去して空気を浄化させる空気清浄機が知られている。
このような空気清浄機は、機器内に送風機およびフィルタが設けられていて、室内の空気を機器内に吸い込み、フィルタを通過させることによって空気中の毒性物質や異臭物質等を物理的に除去し、浄化された空気を外部へ吹き出している（例えば、特許文献１および２参照）。
また、機器内に吸い込まれた空気をプラズマ放電などで酸化分解させて脱臭し、この空気を吹き出す空気清浄機も知られている。
【先行技術文献】
【特許文献】
【０００３】
【特許文献１】特開２００８−４３５８０号公報
【特許文献２】特開２００７−７５８４号公報
【発明の概要】
【発明が解決しようとする課題】
【０００４】
ところで、このような空気清浄機は、メンテナンスの面から、簡便な構造であることが望まれている。また、フィルタを備える空気清浄機は、フィルタの交換が容易にできることが望まれている。
【０００５】
本発明は、上述する事情に鑑みてなされたもので、簡便な構造であるとともにフィルタの交換を容易に行うことができる空気清浄機を提供することを目的とする。
【課題を解決するための手段】
【０００６】
上記目的を達成するため、本発明に係る空気清浄機は、室内の空気中に存在する人体に有害な物質を吸着する吸着剤を備えるフィルタと、該フィルタを通過する空気の流れを形成する送風機と、前記フィルタを出し入れ可能なフィルタケースと、を有することを特徴とする。
【０００７】
本発明では、フィルタを出し入れ可能なフィルタケースを有することにより、フィルタを交換するときには、フィルタケースから使用済みのフィルタを抜き出して新しいフィルタをフィルタケースへ挿入すればよいため、容易にフィルタの交換を行うことができる。
また、フィルタをフィルタケースに挿入することで所定の位置に設置できるため、フィルタの設置構造が簡便となり、空気清浄機を簡便な構造とすることができる。
【０００８】
また、本発明に係る空気清浄機では、前記フィルタは、不織布で形成された袋体と、該袋体に収容された多数のペレット状の吸着剤と、を備えることが好ましい。
このように構成されることにより、吸着剤の表面積が広くなるため、室内の空気中に存在する人体に有害な物質を効率よく吸着することができる。
また、吸着剤が袋体に収容されているため、袋体を把持することでフィルタの交換を容易に行うことができる。
さらに、フィルタをフィルタケースの内部形状に追従した形状とすることができるため、フィルタとフィルタケースとの隙間を少なくすることができる。
そして、フィルタは吸着剤をペレット状にしたものを袋体に収容するだけで構成されるため、フィルタの低コスト化を図ることができる。
【０００９】
また、本発明に係る空気清浄機では、前記フィルタケースは、前記フィルタを複数収容可能に構成されていることが好ましい。
このように構成されることにより、フィルタケースに挿入された複数のフィルタがそれぞれフィルタケースの内部形状に追従した形状となるため、フィルタとフィルタケースとの隙間を更に少なくすることができる。
【００１０】
また、本発明に係る空気清浄機では、前記送風機の駆動量を測定し、該駆動量から前記フィルタの交換時期を知らせるフィルタ交換時期通知機構が設けられていることが好ましい。
このように、構成されることにより、使用者がフィルタの交換時期を容易にかつ確実に知ることができる。
【発明の効果】
【００１１】
本発明によれば、フィルタを出し入れ可能なフィルタケースを有することにより、フィルタを交換するときには、フィルタケースから使用済みのフィルタを抜き出して新しいフィルタをフィルタケースへ挿入すればよいため、容易にフィルタの交換を行うことができる。
また、フィルタをフィルタケースに挿入することで所定の位置に設置できるため、フィルタの設置構造が簡便となり、空気清浄機を簡便な構造とすることができる。これにより、空気清浄機のメンテナンスが容易になるとともに、空気清浄機を容易に製造することができる。
【図面の簡単な説明】
【００１２】
【図１】本発明の実施形態による空気清浄機の一例を斜視図である。
【図２】図１に示す空気清浄機の分解斜視図である。
【図３】フィルタの正面図である。
【発明を実施するための形態】
【００１３】
以下、本発明の実施形態による空気清浄機について、図１乃至図３に基づいて説明する。
図１および図２に示す本実施形態による空気清浄機１は、主に病院や病理施設、臨床施設などの室内に、空気中に含まれるガス化したホルマリンやアンモニアなどの有害物質を除去するために設置されている。
本実施形態による空気清浄機１は、有害物質を吸着する３つのフィルタ２（図２参照）と、フィルタ２を通過する空気の流れを形成する送風機３（図２参照）と、３つのフィルタ２が収容されるフィルタケース４と、上記フィルタ２、送風機３およびフィルタケース４を収容する筐体５と、を備えている。
【００１４】
ここで、送風機３が形成する空気の流れの方向を図中の矢印Ａの方向とし、この空気の流れの上流側を上流Ａ１側、空気の流れの下流側を下流Ａ２側として以下説明する。
そして、筐体５は、上流Ａ１側から下流Ａ２側へ空気が通過可能な略直方体状に形成され、上流Ａ１側の面には、複数のスリット（不図示）が形成され着脱可能なフロントパネル５１が設けられていて、下流Ａ２側の面には開口部５２が形成されている。
また、筐体５は、内部に送風機３およびフィルタケース４が設置され、送風機３がフィルタケース４の上流Ａ１側となるように配されている。
【００１５】
図３に示すように、フィルタ２は、不織布で形成された袋体２１と、袋体２１に収容された有害物質を吸着可能な吸着剤２２と、を備えている。
吸着剤２２は、多数のペレット状に形成され、表面を空気が通過することで、空気中の有害物質を吸着して、空気を浄化できるものが採用される。吸着剤２２の成分は、吸着対象の有害物質にあわせて適宜選択される。
なお、吸着剤２２の成分は１種類で構成してもよく、数種類のものを混合して構成してもよい。また、フィルタケース４（図２参照）に収容される３つのフィルタ２には、それぞれ同じ成分の吸着剤２２が収容されていてもよいし、異なる成分の吸着剤２２が収容されていてもよい。
【００１６】
袋体２１は、略長方形の不織布を半分に折りたたみ、内部に吸着剤２２を収容した後に向かい合う端部どうしを熱圧着などで接着することで形成されている。本実施形態では、接着された縁部どうしがヒダ２１ａを形成している。なお、袋体２１は、上記以外の形状としてもよく、ヒダ２１ａが形成されていなくてもよい。
また、袋体２１は、収容された吸着剤２２が内部で移動可能となる大きさに形成されている。これにより、フィルタ２は、外力を加えるられることで、その形状が変形可能に構成されている。
【００１７】
図２に戻り、フィルタ２は、フィルタケース４内に高さ方向に３つ重ねて収容されるように構成されている。このため、フィルタ２は、その幅寸法ｄ１が、フィルタケース４の内部の幅寸法ｄ２と略同じとなるように形成されている。
なお、本実施形態では、フィルタ２は、袋体２１の幅方向の両端部にヒダ２１ａが位置するように形成され、フィルタケース４に収容されると、このヒダ２１ａがフィルタケース４の内面に当接し、フィルタケース４との間に隙間ができることを防いでいる。
また、フィルタ２を３つ重ねた高さ寸法ｈ１は、フィルタケース４の高さ寸法ｈ２と同じ寸法かやや低い寸法となるように構成されている。
【００１８】
送風機３は、ファン３１とファン３１を回転させるモータ３２とを備え、筐体５に固定された第１枠体３３に支持されている。この第１枠体３３は、空気の流れを妨げないように構成されている。
モータ３２は、外部から電源が供給されていて、筐体５にモータ３２のスイッチ３４が取り付けられている。
なお、筐体５内に設置された送風機３のメンテナンスを行うことができるように、筐体５は分解可能に構成されている。
【００１９】
図１および図２に示すように、フィルタケース４は、上部４ａが開放した略直方体の箱状に形成されている。フィルタケース４は、上流Ａ１側の面４ｂおよび下流Ａ２側の面４ｃに、複数の通気孔４１が形成されている。
本実施形態では、通気孔４１は、長孔状に形成され、高さ方向および幅方向に互いに間隔をあけて配列されている。
なお、フィルタケース４の上流Ａ１側の面４ｂおよび下流Ａ２側の面４ｃは、通気可能に構成されていればよく、通気孔４１の形状は、上記以外の形状としてもよいし、通気孔４１に代わって、例えば、通気可能なメッシュなどを取り付けてもよい。
【００２０】
フィルタケース４は、筐体５に着脱可能に構成され、筐体５内部の下流Ａ２側には、フィルタケース４が設置されるフィルタケース設置部５３が形成されている。このフィルタケース設置部５３は、上部５３ａが開口されて、上方からフィルタケース４を着脱可能に構成されている。
また、フィルタケース設置部５３の上流Ａ１側には、筐体５に固定され、設置されたフィルタケース４が上流Ａ１側に移動したり、転倒したりすることを防止する第２枠体５４（図２参照）が設けられていて、フィルタケース設置部５３の下流Ａ２側には、上述した筐体５の開口部５２が位置している。この第２枠体５４は、空気の流れを妨げないように例えばメッシュ状に構成されている。
そして、フィルタケース４は、フィルタケース設置部５３に設置されると、下流Ａ２側の面４ｃが、筐体５の開口部５２を介して筐体５の外部に露出するように構成される（図１参照）。
【００２１】
また、フィルタケース設置部５３の上部には、フィルタケース設置部５３の上部５３ａの開口を閉塞可能で、筐体５に着脱可能な蓋部５５が設けられている。蓋部５５は、化粧ネジなどの固定具５６によって筐体５に固定されている。なお、固定具５６は、使用者が筐体５の外部から着脱できるものとし、固定具５６を外すことで蓋部５５が筐体５から外れるように構成されている。
【００２２】
ここで、本実施形態では、固定具５６は、蓋部５５を筐体５に固定するとともに、フィルタケース４を筐体５に固定している。詳しく説明すると、筐体５、蓋部５５およびフィルタケース４には、互いに重なるネジ孔５ｄ，５５ｄ，４ｄ（図２参照）がそれぞれ形成されていて、これらのネジ孔５ｄ，５５ｄ，４ｄにネジ状の固定具５６が螺合されることで、筐体５、蓋部５５およびフィルタケース４が固定されている。
また、蓋部５５は、筐体５に取り付けられると、フィルタケース４の上部４ａの開口を閉塞するように構成されている。
【００２３】
また、図２に示すように、本実施形態の空気清浄機１には、フィルタ２の交換時期を通知するフィルタ交換時期通知機構６が設けられている。
フィルタ交換時期通知機構６は、送風機３の駆動時間を測定する測定部６１と、測定部６１で測定された駆動時間を表示する表示部６２と、を備えている。表示部６２は、筐体５の側面などの使用者が目視できる位置に設けられている。
そして、フィルタ交換時期通知機構６は、表示部６２に表示された駆動時間が、所定の時間に近づいた、または超えたことを使用者が確認することで、使用者がフィルタ２の交換時期であることを判断するように構成されている。
このため、フィルタ２の交換時期の目安となる駆動時間を、予め使用者へ知らせておく。
なお、表示部６２に、駆動時間が所定の時間を超えたときに点滅するランプなどを設けてもよい、
【００２４】
また、本実施形態の空気清浄機１には、筐体５の下部にキャスタ５７が設けられていて、設置される床面を移動可能に構成されている。
また、本実施形態の空気清浄機１は、上下方向へ重ねられるように構成されている。
このため、筐体５の上部に、上側に重ねられた空気清浄機１のキャスタ５７が嵌合可能な凹部（不図示）が形成されている。
なお、筐体５には、キャスタ５７が取り付けられていなくてもよく、キャスタ５７が嵌合可能な凹部が形成されていなくてもよい。
【００２５】
次に、上述した空気清浄機１の使用方法について説明する。
まず、モータ３２のスイッチ３４をオンとし、ファン３１を回転させて、空気を上流Ａ１側から下流Ａ２側へ流す。
これにより、ファン３１の下流Ａ２側にあるフィルタ２を空気が通過し、空気内の有害物質がフィルタ２の吸着剤２２に吸着され、空気が浄化される。
所定時間連続運転し空気が浄化されたら、スイッチ３４をオフとし、ファン３１の回転を停止させて空気の流れを停止させる。
【００２６】
このとき、フィルタ交換時期通知機構６の測定部６１によって送風機３の駆動時間が測定され、この駆動時間が表示部６２に表示される。この表示部６２に表示された駆動時間を基に、使用者がフィルタ２の交換時期を知ることができる。
【００２７】
次に、フィルタ２の交換方法について説明する。
まず、固定具５６を外して、筐体５から蓋部５５を外し、フィルタケース４を引き上げて、フィルタケース設置部５３からフィルタケース４を取り出す。
続いて、フィルタケース４内の使用済みのフィルタ２を取り出し、新しいフィルタ２をフィルタケース４に挿入する。
このとき、フィルタケース４の内部とフィルタ２との間に隙間が生じないように、フィルタ２の形状および位置を調整する。
続いて、フィルタケース４をフィルタケース設置部５３に挿入し、固定具で、筐体５に蓋部５５を固定する。
このようにして、フィルタ２の交換が完了する。
【００２８】
次に、上述した空気清浄機１の効果について図面を用いて説明する。
本実施形態による空気清浄機１によれば、フィルタ２を出し入れ可能なフィルタケース４を有することにより、フィルタ２を交換するときには、フィルタケース４から使用済みのフィルタ２を抜き出して新しいフィルタ２をフィルタケース４へ挿入すればよいため、容易にフィルタ２の交換を行うことができる。
また、フィルタ２をフィルタケース４に挿入して、フィルタケース４をフィルタケース設置部５３に設置することで、フィルタ２を所定の位置に設置できるため、フィルタ２の設置構造が簡便となり、空気清浄機１を簡便な構造とすることができる。これにより、空気清浄機１のメンテナンスが容易になるとともに、空気清浄機１を容易に製造することができる。また、空気清浄機１を小型化することも可能となる。
【００２９】
また、吸着剤２２は、多数のペレット状に形成されていることにより、吸着剤２２の表面積が広くなるため、有害物質を効率よく吸着することができる。
また、吸着剤２２は、袋体２１に収容されているため、袋体２１を把持することでフィルタ２の交換を容易に行うことができる。
さらに、フィルタ２は、多数のペレット状の吸着剤２２が袋体２１に収容された形態であることにより、フィルタケース４の内部形状に追従した形状とすることができるため、フィルタ２とフィルタケース４との隙間を少なくすることができる。
また、空気清浄機１にフィルタ交換時期通知機構６が設けられていることにより、前使用者がフィルタ２の交換時期を容易にかつ確実に知ることができる。
【００３０】
以上、本発明による空気清浄機１の実施形態について説明したが、本発明は上記の実施形態に限定されるものではなく、その趣旨を逸脱しない範囲で適宜変更可能である。
例えば、上述した実施形態では、フィルタ２は、袋体２１に多数のペレット状の吸着剤２２が収容された形態であるが、多数のペレット状の吸着剤２２に代わって、多数のリング状や筒状の吸着剤２２としてもよい。
また、フィルタ２は、袋体２１を備えずに吸着剤２２が露出した形態としてもよい。この場合、フィルタ２を、例えば、ハニカム構造の板状に形成された吸着剤２２などとしてもよい。
【００３１】
また、上述した実施形態では、フィルタケース４に３つのフィルタ２を設置しているが、１つのフィルタ２や、２つ、４つ以上のフィルタ２をフィルタケース４に設置してもよい。
また、上述した実施形態では、フィルタケース４が、筐体５のフィルタケース設置部５３に着脱可能であるが、フィルタケース設置部５３に固定されていてもよい。
また、上述した実施形態では、フィルタ交換時期通知機構６は、駆動時間を基にフィルタ２の交換時期を知らせているが、ファン３１の回転数および回転時間から、吸着剤２２が吸着した有害物質の数量を算出し、この有害物質の数量をもとにフィルタ２の交換時期を知らせる構成としてもよい。
また、本実施形態によれば、フィルタ２の交換時期を通知するフィルタ交換時期通知機構６が設けられているが、フィルタ交換時期通知機構６は設けられていなくてもよい。
【符号の説明】
【００３２】
１  空気清浄機
２  フィルタ
３  送風機
４  フィルタケース
５  筐体
６  フィルタ交換時期通知機構
２１  袋体
２２  吸着剤
【図１】
2012161487.tif 000003
【図２】
2012161487.tif 000004
【図３】
2012161487.tif 000005